(57)【特許請求の範囲】
【請求項１】
デジタルインターフェイスを備え、ディジーチェーン接続で相互接続可能なＡＶ機器を複数台接続して構成するＡＶシステムであって、
前記ＡＶシステムを構成する各ＡＶ機器は、
自機器の有する機能を独立して動作させることができる回路を機能モジュールとして備えると共に、
前記デジタルインターフェースを介し、自機器や他のＡＶ機器が持つ前記機能モジュールへの処理要求及び前記機能モジュールの使用状態を送受信することができる通信処理部と、前記通信処理部を介して送られてくる自機器や他のＡＶ機器の機能モジュールの使用状態を管理するための管理テーブルと、前記管理テーブルが管理している機能モジュールの使用状態に基づいて自機器又は他のＡＶ機器の機能モジュールの動作を制御することができる制御手段と、を有するシステムブロックを備え、
前記システムブロックの通信処理部を介して自機器や他機器の持つ機能モジュールに対する処理要求を送受信し、該処理要求を受信すると前記管理テーブルで管理している機能モジュールの使用状態に応じて、前記制御手段により自機器や他のＡＶ機器の該当する機能モジュールを動作させること
を特徴とする機能別にモジュール化されたＡＶシステム。
【請求項２】
前記ＡＶシステムを構成する各ＡＶ機器は、ＩＥＥＥ１３９４に準拠したパケット方式により双方向通信し、且つ、他のＡＶ機器に対して均等な通信時間を割り当てるようにしたこと
を特徴とする請求項１に記載の機能別にモジュール化されたＡＶシステム。
【発明の詳細な説明】
【０００１】
【発明の属する技術分野】
本発明に係る機能別にモジュール化されたＡＶシステムは、例えば双方向シリアル通信が可能なインターフェイス、例えばＩＥＥＥ１３９４規格、ＩＥＥＥ１３５５等のシリアルバスを用いて、例えばテレビジョン受像機、ビデオデッキ、チューナー、ステレオ、パソコン等を含んだ複数のＡＶ機器を接続し、各ＡＶ機器の機能を機能別にモジュール化して、所定の機能を持たないＡＶ機器であっても、あたかも機能を所持しているかのように動作できるＡＶシステムに関する。
【０００２】
【従来の技術】
近年、ＡＶ機器の種類が増加し、家庭内等においても、各種のＡＶ機器を相互に接続してＡＶシステムを構成することにより、夫々の機器機能を生かした多目的かつシステム資源効率のよいＡＶシステムとして使用する例が多くなっている。
【０００３】
例えば、簡単な例は、ＵＨＦの衛星放送を録画することができるチューナーを内蔵したビデオテープレコーダ（以下ＶＴＲという）とそれを内蔵しないＶＴＲとを１台のテレビジョン受像機（以下ＴＶという）に接続して使用する場合等である。この場合のＡＶシステムは、１台のＴＶと２台のＶＴＲと接続線とからなり、あたかも地上波と衛星放送の両方の録画が可能な１台のＴＶのように考えることができる。
【０００４】
このように複数のＡＶ機器によりＡＶシステムを構成する場合に下記のような点を考慮する必要がある。
（１）例えばチューナーのような部分は共用することによりコストを下げること。
（２）操作が容易であること。
（３）各ＡＶ機器間の配線が簡単であり、配線作業に時間がかかったり配線の間違いが起こらないこと。
（４）配線や複数のリモコン等により生活スペースが乱雑にならないこと。
【０００５】
上記のような点を考慮したＡＶシステムの代表例としてのチューナー共用システムが、本発明者等により特開平７−１５４７０６（ＴＶシステム）に開示されている。
【０００６】
以下、上記チューナー共用システムについて説明する。
チューナー共用システムは、図８に示すように、ＶＴＲ１とＶＴＲ２とＶＴＲ３が、１台のＴＶ５に接続されて構成されている。
【０００７】
図８において、各ＶＴＲ１〜３とＴＶ５との間の接続線の内、実線はビデオ信号および音声信号を伝送するビデオケーブルを表し、点線は制御信号を伝送するコントロールケーブルを表している。
【０００８】
このようなＡＶシステムにおいては、ＶＴＲ１〜３の各々間の直接接続はなされず、各ＶＴＲ１〜３は全てＴＶ５とのみ放射状に接続され、従って、各ＶＴＲ１〜３においては、従来のような入出力切換えという概念は存在しない。そして、各ＶＴＲ１〜３間の接続はＴＶ５のＡＶセレクタ６を介して行われるようになっている。
【０００９】
また、ＴＶ５は、入力端子ＩＮ１〜ＩＮ３と出力端子ＯＵＴ１〜ＯＵＴ３を有している。これら入力端子ＩＮ１〜ＩＮ３及び出力端子ＯＵＴ１〜ＯＵＴ３は、各ＶＴＲ１〜３の出力端子及び入力端子とビデオケーブルで１対１の対応で接続されている。つまり、ＴＶ５は、各ＶＴＲ１〜３からの映像および音声を入力すると共に、ＶＴＲ１〜３に対して映像および音声を出力する入出力両方の機能を有する。
【００１０】
更に、ＴＶ５と各ＶＴＲ１〜３とはコントロールケーブルによって接続されている。ＴＶ５は、各ＶＴＲ１〜３に対して、それぞれのＶＴＲの仕様に基づきコード化したコマンドをコントロールケーブルを通じて送信することによって全ＶＴＲ１〜３の状態をチェックしたり、動作を制御したりすることができるようになっている。
【００１１】
各ＶＴＲ１〜３は、ＴＶ５からコントロールケーブルを通して送られてくるコマンドによって録画開始、録画停止、他機器への映像および音声の送信開始および停止、電源オン／オフ等の各種動作を行うようになっている。
【００１２】
ＴＶ５は、図９に示すように、ＡＶセレクタ６と、映像信号マージ部７と、ＣＲＴ８と、制御部９と、リモコン受光受信部１０と、マウスリモコン１１とによって構成されている。
【００１３】
ＡＶセレクタ６は、アンテナと接続されていると共に、ビデオケーブルおよびコントロールケーブルを介してＶＴＲ１〜３と接続されており、制御部９の制御の下で、ＶＴＲ１〜３とＣＲＴ８との間および各ＶＴＲ１〜３相互間の接続切換えを行う機能を有する。
【００１４】
映像信号マージ部７は、ＡＶセレクタ６からの映像信号と、制御部９から送出されるメッセージやメニュー等の文字信号を、通常の映像と重ねてＣＲＴ８の画面上に表示する。使用者はこのメニュー内のボタンをカーソルで指示することによって各種操作を行うようにしたものである。
【００１５】
制御部９は、マウスリモコン１１からの遠隔操作信号をリモコン受光受信部１０を介して受信し、これに基づき、ＡＶセレクタ６と映像信号マージ部７とＣＲＴ８とを制御する。
【００１６】
この制御部９は、ＣＰＵを中心とする通常のマイコンで構成されており、下記の機能を行う。
（１）チューナー情報テーブルの作成
制御部９は、ＴＶ５および全ＶＴＲが内蔵しているチューナーの数と種類と有効チャンネルとに関する情報を図１０に示すようなチューナー情報テーブル１２としてメモリ内に管理する。なお、チューナー情報テーブル１２中、数字１は有効チャンネルを、数字０は無効を表す。
【００１７】
（２）チャンネル切換え動作
ユーザーがリモコン１１によってＣＲＴの画面に表示されるメニューの中の”チャンネル切換え”を指定すると、制御部９はチャンネル切換えプログラムを起動する。
【００１８】
まず、チューナー情報テーブル１２が検索され、選択可能なチャンネルだけがメニューとして表示される。表示されたメニューから希望のチャンネルを選択すると、有効なチャンネルに対する指定のみが受け付けられる。つぎに、このチャンネルに対応するチューナーがＴＶ５のＡＶセレクタ６に内蔵されている場合には、その出力がＣＲＴ８に送られ表示される。
【００１９】
また、ＡＶセレクタ６に内蔵されていないチューナーが選択された場合には、制御部９は、チューナー情報テーブル１２を検索してこのチャンネルに対応するチューナーを内蔵するＶＴＲを探し出し、切換制御信号をＡＶセレクタ６へ送る。その結果、選択されたＶＴＲとＣＲＴ８とが接続される。
【００２０】
更に、制御部９は、ＡＶセレクタ６を介して選択されたＶＴＲに対して制御信号を送り、このＶＴＲを起動させる。その結果、このＶＴＲは電源オン→チャンネル切換え→出力切換えを行い、このチャンネルの映像信号および音声信号を出力する。この映像信号および音声信号はＡＶセレクタ６を経てＣＲＴ８に表示され、チャンネル切換えが完了する。
【００２１】
３．録画および裏番組の録画
リモコン１１によって表示メニューの中から”録画”を指定すると、制御部９は録画プログラムを開始し、まず、リモコン受信部１０を介して入力された信号に基づき、ある指定されたチャンネルをある指定されたＶＴＲに録画するための指示または裏番組の録画指示を受け付ける。
【００２２】
この場合、指定されたＶＴＲが指定されたチャンネルに対応するチューナーを内蔵している場合は、ただちに録画が行われる。
【００２３】
しかし、指定されたＶＴＲが指定されたチャンネルに対応するチューナーを内蔵していない場合は、チューナー情報テーブル１２を検索し、このチャンネルに対応するチューナーを内蔵するＶＴＲを探し出し、ＡＶセレクタ６へ制御信号を送り、指定されたＶＴＲの入力端子と、探し出されたＶＴＲの出力端子との間がビデオケーブルで接続されるように制御する。
【００２４】
つぎに、制御部９はコントロールケーブルを介してチューナーを内蔵しているＶＴＲへ制御信号を送り、それを起動させると共に、録画するＶＴＲへ制御信号を送り、電源オン→入力切換え→録画の動作を行わせる。
このようにして、指定されたチャンネルに対応するチューナーを内蔵していないＶＴＲに、そのチャンネルの録画を行わせることができる。
【００２５】
以上説明したように、上記チューナー共用システムは、複数のＡＶ機器の接続をＴＶ５のＡＶセレクタ６で集中的に切換え制御するように構成することによって、各ＡＶ機器が内蔵しているチューナーを共用することができ、従って、いかなるチャンネルに対しても簡単な操作でＴＶのチャンネル切換えを行うことができ、また、あるチャンネルに対応するチューナーを内蔵していないビデオ機器にもそのチャンネルを簡単に録画させることができる。
【００２６】
【発明が解決しようとする課題】
しかしながら、上記従来のＡＶシステムにおいては、接続されている複数のＡＶ機器について、各ＡＶ機器が有する機能、例えばチューナー、モニター等を機能別にモジュール化されていないために、ＡＶ機器が有する機能を当該機能が動作していないにもかかわらず使用できないと云う問題点があった。
【００２７】
例えば、ＶＴＲがテープの早送りを行っている最中に、このＶＴＲのチューナーの出力をＴＶの入力として送り、ＴＶで映像／音声を鑑賞することはできるが、ＶＴＲが他のＶＴＲとの間でダビング動作を行っている場合には、ＶＴＲ内のチューナーは動作していないにもかかわらず使用することはできないため完全な資源共有システムとはなっていない。
【００２８】
また、上記従来のＡＶシステムにおいては、ＴＶのＡＶセレクタ６で接続の切り換えを行っているため、ＴＶのみに接続線が集中し、新規配線時や配線変更時に時間と手間がかかるという問題点があった。
【００２９】
更に、映像信号／音声信号の入力元と出力先とが固定化されているため、ＡＶ機器の新規接続、接続の変更、ならびに各種操作は、映像信号／音声信号の入力元と出力先とを記憶している熟練者でなければ行うことは困難であるという問題点があった。
【００３０】
従って、本発明は、従来のＡＶシステムにおける共用の考え方を更に一歩前進させて、ＡＶ機器の有する機能をモジュール化させて共用化を図ることにより、ＡＶシステムの資源効率の高い経済的なＡＶシステムを提供することを目的とし、モジュール化された機能の内で使用中でない機能を他のＡＶ機器が自由に使用することができ、かつ、接続の切り換えが無く、配線や操作が簡単である機能別にモジュール化されたＡＶシステムを提供することに課題を有する。
【００３１】
【課題を解決するための手段】
上記課題を解決するため、本発明に係る機能別にモジュール化されたＡＶシステムは、デジタルインターフェイスを備え、ディジーチェーン接続で相互接続可能なＡＶ機器を複数台接続して構成するＡＶシステムであって、前記ＡＶシステムを構成する各ＡＶ機器は、自機器の有する機能を独立して動作させることができる回路を機能モジュールとして備えると共に、前記デジタルインターフェースを介し、自機器や他のＡＶ機器が持つ前記機能モジュールへの処理要求及び前記機能モジュールの使用状態を送受信することができる通信処理部と、前記通信処理部を介して送られてくる自機器や他のＡＶ機器の機能モジュールの使用状態を管理するための管理テーブルと、前記管理テーブルが管理している機能モジュールの使用状態に基づいて自機器又は他のＡＶ機器の機能モジュールの動作を制御することができる制御手段と、を有するシステムブロックを備え、前記システムブロックの通信処理部を介して自機器や他機器の持つ機能モジュールに対する処理要求を送受信し、該処理要求を受信すると前記管理テーブルで管理している機能モジュールの使用状態に応じて、前記制御手段により自機器や他のＡＶ機器の該当する機能モジュールを動作させるものである。
【００３２】
また、前記ＡＶシステムを構成する各ＡＶ機器は、ＩＥＥＥ１３９４に準拠したパケット方式により双方向通信し、且つ、他のＡＶ機器に対して均等な通信時間を割り当てるようにしたことである。
【００３３】
上記構成にしたことにより、使用者から機能モジュール（Ａ）の使用要求が出された時、管理テーブルを検索してこの機能モジュール（Ａ）を持つＡＶ機器（Ｂ）を探し出し、このＡＶ機器（Ｂ）に対して機能モジュール（Ａ）が使用可能であるかどうかを問い合わせる。使用可能であれば、機能モジュール（Ａ）は即座に使用される。
【００３４】
この時、使用者は、ＡＶシステム内でＡＶ機器（Ｂ）の機能モジュール（Ａ）を指定する必要がない。ただし、使用者は、どのＡＶ機器が使用状態にあるか等の情報は取得することができる。
【００３５】
従って、ＡＶシステム内に使用要求のある機能モジュール（Ｂ）が存在し、かつ、その機能モジュール（Ｂ）が使用中でないならば、どのＡＶ機器でも、機能モジュール（Ｂ）をディジタルインターフェイスを介してあたかも自分のものであるかのように自由に使用することができる。
【００３６】
【発明の実施の形態】
本発明に係る機能別にモジュール化されたＡＶシステムの望ましい実施の形態は、図１に示すように、テレビジョン受像機に多種多数のＡＶ機器を、ＩＥＥＥ１３９４規格のディジタルインターフェイス（以下１３９４ＩＦと記載する）を介して接続して構成されている。
【００３７】
ここで１３９４ＩＦについて説明しておく。
１３９４ＩＦは、複数のＡＶ機器をディジーチェーン接続で接続することが可能な所謂シリアルバスであって、各ＡＶ機器は１３９４ＩＦにおいてノードを形成している。各ノードからは、ブランチを出すこともできる。各ＡＶ機器の接続は、ループを形成しない限り任意である。
【００３８】
図１においては、ＴＶから二つのブランチが出ており、その一つはデジタルカメラＤＣＡＭと接続され、もう一つのブランチには、ディジタルビデオコーダーＶＣＲ１と、ディジタルビデオコーダーＶＣＲ２と、ディジタルビデオディスクＤＶＤと、ゲーム機Ｇと、電話機ＴＥＬと、ファックスＦＡＸと、音楽ディスク交換機ＭＤＣと、ディジタルオーディオテープレコーダＤＡＴと、コンパクトディスク交換機ＣＤＣと、プリンタＰと、赤外線装置ＩＲＵとがシリーズに接続されている。
【００３９】
１３９４ＩＦは、６芯または４芯ケーブルと、ケーブルの両端に接続された同一のコネクタと、各コネクタに接続されたＬＳＩ化された物理層と、物理層と接続されたＬＳＩ化されたリンク層と、リンク層と接続されたトランザクション層とからなる。トランザクション層はファームウェアからなる。
【００４０】
ケーブルは、３対または２対のシールド線からなる。その内の２対はデータ線とストローブ線とであってデータ転送に使用され、他の１対は電源線として使用される。従って、電源が落ちている機器でも、信号をバイパスさせることができるから、電源が落ちている機器より先の機器に信号を送ることができるようになっている。
【００４１】
コネクタにはトランシーバを内蔵しており、このトランシーバとケーブルとでリピータを形成している。
物理層の一端は上記ケーブルと接続され、他端はリンク層と接続されている。物理層は、ケーブルから入力した電気信号を符号化してリンク層へ送ると共に、リンク層から受け取ったコードデータを電気信号に復号化してケーブルへ送出する。物理層はまた、後述のバスアービトレーション等を行う。
【００４２】
リンク層は、物理層で符号化されたデータに基づきパケットを作成しトランザクション層へ送信すると共にトランザクション層から受け取ったパケットを解読する。また、リンク層は、パケットの転送サイクルの制御を行う。
【００４３】
上記のように構成された１３９４ＩＦは、下記の特徴を有する。
（１）ＡＶ機器間の接続はシリアルであるから、全ＡＶ機器は、上記従来のＴＶのＡＶセレクタ６（図９参照）のような切り換え接続部を必要としないで他のＡＶ機器と通信することができる。
（２）ＡＶシステム内のＡＶ機器は固定化されておらず、コネクタを挿抜することによりＡＶシステム内の任意の位置に自由に装着または離脱することができる。この時、各ＡＶ機器のＩＤは自動的に再設定される。
【００４４】
（３）特定のＡＶ機器がシリアルバスを独占しないようにするためのバスアービトレーション（調停）機能を持っている。これは、データをパケット単位で転送するもので、パケット長は最大５１２バイト（１００Ｍビット／秒の転送速度の場合は約４０μ秒に相当する）に制限している。各ＡＶ機器は、指定されているノード番号の順に、夫々の割当て時間だけパケット送信を行う。
【００４５】
（４）パケットは、常に一定の時間間隔で、リンク層から送出されその転送が終了するまでは他のパケットの転送はできないようになっている。各ＡＶ機器はパケットを受け取ったら自分に必要なデータであるかどうかを判断し、その判断結果に基づき処理又は無視する。
【００４６】
（５）パケットには普通のパケットと、優先度が高い緊急パケットと、更に優先度が高い後述のアイソクロナスパケットとがある。
（６）ケーブルは細く、コネクタは小型であるからケーブルの引き回しやコネクタの着脱が容易である。また、コストが安い。
【００４７】
（７）信号の転送速度が従来のシリアル転送に比して速い。これは、信号を１対のデータ線と１対のストローブ線とを用いてシリアル転送（１ビットずつの転送）で送り、「データ線又はストローブ線のどちらかの電位が変化した時に、データ線のデータを読み取る」という規則に従うＤＳリンク方式により読み取るからである。このＤＳリンク方式は、データ線の電位の時間的な揺れに対応するものである。これにより、従来のシリアル転送（例えばＲＳ２３２Ｃ）のようなスタートビットとストップビットを８ビットおきに挿入する必要がなくなり、転送速度が向上する。
【００４８】
各ＡＶ機器は、図２に示すように、１３９４ＩＦと接続するための少なくとも２個の接続ポートＰ１、Ｐ２を有している。接続ポートＰ１、Ｐ２は、ＡＶ機器の外部において１３９４ＩＦと接続され、内部においては、相互に接続されている。このような接続により、あるＡＶ機器から発信された信号がＡＶシステム内の全ＡＶ機器で同時に受信することができるようになっている。
【００４９】
そして、どのＡＶ機器でも、ＡＶシステム内において、所謂マスタとして振る舞うことができるようになっている。
【００５０】
各ＡＶ機器は、夫々が持っている機能モジュールを具現化した独立の入力と出力とを持つ回路ブロックで構成されている。
各種のＡＶ機器は、表示機能、チャンネル選択機能、増幅機能、スピーカ機能、メモリ機能等の機能モジュールを色々組み合わせることにより、使用者の使用目的を果たしている。
【００５１】
ＡＶ機器内において、機能モジュールは、入力と出力とを持つ独立の回路として具現化されている。例えば、表示機能モジュールは、ＣＲＴ等によって具現化され、チャンネル選択機能モジュールはチューナーによって具現化されている。このように機能モジュールを回路化したものをブロックと呼ぶ。
【００５２】
機能モジュールは、ある種のエネルギ（例えば電気）信号を他の種のエネルギ（例えば音）のエネルギ信号に変換したり、同一種の複数の信号から一つを選択したり、信号の大きさを大きくしたりする単位機能であって、全ＡＶ機器にとって普遍的なものである。従って、上記ブロックは、ＡＶシステム内でＡＶ機器間で共有可能である。
【００５３】
図１に示すＡＶシステム内のＡＶ機器は、複数の共有可能なブロックを有している。例えば、テレビジョン受像機ＴＶは、図３に示すように、表示機能モジュール、地上波チャンネル選択機能モジュール、増幅機能モジュール、スピーカ機能モジュールに夫々対応するモニタブロック１３、チューナーブロック１４、アンプブロック１５、スピーカブロック１６を有しており、ディジタルビデオコーダーＶＣＲ１、ＶＣＲ２は、図４に示すように、記憶機能に対応するストレージブロック１７と衛星放送選択機能モジュールに対応するチューナーブロック１８とを有している。
【００５４】
各ＡＶ機器は、自分が持つているブロックを自分で使用する場合は勿論、他のＡＶ機器に使用させる場合に、その動作を制御する制御回路としてのシステムブロック２０を有する。システムブロック２０は、ＡＶシステム内の全てのＡＶ機器に共通な回路構成を有している。
【００５５】
システムブロック２０の一方の端子は、上記複数のブロックと共通に接続されており、他方の端子は接続ポートＰ１、Ｐ２と接続されている。
【００５６】
システムブロック２０は、接続ポートＰ１、Ｐ２を介して他のＡＶ機器から入力する自己の各機能モジュールに対する使用要求を受付け、使用要求を受けた機能モジュールが使用可能状態にあるならば、１３９４ＩＦを介して上記他のＡＶ機器に使用させ、また、自己ＡＶ機器には無く他のＡＶ機器が持っている機能モジュールを使用する必要が生じた時は、他のＡＶ機器に対する使用要求を出し、使用可能ならば１３９４ＩＦを通じて使用するように制御する。
【００５７】
以下、システムブロック２０について詳細に説明する。
システムブロック２０は、図５に示すように、ＣＰＵ２１と、ＳＲＡＭ２２と、ＲＯＭ２３と、シスコン２４と、ビデオＲＡＭ２５と、ＤＲＡＭ２６と、通信処理部２７とからなる。
【００５８】
ＣＰＵ２１は、ＲＯＭ２３に格納されている後述のプログラムを実行することにより、システムブロック２０全体の制御と、ＡＶシステム内の全ＡＶ機器に関する情報の管理と、システム情報を表示するためのデータの作成とを行う。
【００５９】
ＳＲＡＭ２２は、ＣＰＵ２１と接続されており、ＣＰＵ２１がプログラムを実行する上での作業用メモリであり、ＡＶ機器の状態等に関する機器情報を格納する。
【００６０】
ＲＯＭ２３は、ＣＰＵ２１と接続されており、ＣＰＵ２１がシステムブロック２０を動作させるためのプログラムや、初期設定等に関する固定情報を格納する。
【００６１】
シスコン２４は、ＣＰＵ２１及び通信処理部２７と接続され、ＣＰＵ２１の制御の下でＡＶ機器内の各ブロックの制御、データの入出力、リモコン及びコントロールパネルからの情報の入力を制御する。
【００６２】
ビデオＲＡＭ２５は、ＣＰＵ２１、シスコン２４、通信処理部２７と接続され、ＡＶ機器内部の情報やＡＶシステム全体に関する情報等を表示画面に表示するための映像、画像、文字情報を格納する。
【００６３】
ＤＲＡＭ２６は、システムブロック２０内のプロセッサ間の通信に必要な情報や、システムブロック２０内で使用される情報を格納する。
【００６４】
通信処理部２７は、その一端が接続ポートＰ１、Ｐ２と接続され、他端はＣＰＵ２１及びシスコン２４と接続されており、１３９４ＩＦを介して他のＡＶ機器のシステムブロック２０の通信処理部２７との間の通信を行う。
【００６５】
各ＡＶ機器のシステムブロック２０は下記のように動作する。
１．他ＡＶ機器の機能モジュールを使用する場合（図６参照）。
シスコン２４を通じて使用者からの処理要求がＣＰＵ２１に伝えられると、ＣＰＵ２１は、ＲＯＭ２３からＳＲＡＭ２２に読み込まれたプログラムの動作シーケンスによって発生した処理要求を認識する（ステップＳＴ１）。
【００６６】
次にステップＳＴ２において、ＣＰＵ２１は、上記処理要求が自己ＡＶ機器内の機能モジュールで処理可能であるか否かを、予めＲＯＭ２３からＳＲＡＭ２２に読み込んでおいた初期設定情報に基づき判断する。
【００６７】
自己ＡＶ機器内の機能モジュールにより処理可能と判断した場合には、ＣＰＵ２１は、ステップＳＴ３へ飛び、シスコン２４等を使用して自己ＡＶ機器内の機能モジュールを動作させることにより要求された処理を実行する。
【００６８】
自己ＡＶ機器内の機能モジュールにより処理不可能と判断した場合には、ＣＰＵ２１は、ステップＳＴ４へ進み、ＳＲＡＭ２２内に記憶されている管理テーブル（従来技術の図１０の情報テーブル参照）を検索し、処理可能な機能モジュールを持つ他のＡＶ機器を探す。なお、管理テーブルは、予め、通信処理部２７を通じてＡＶシステム内の他の全ＡＶ機器に問い合わせることにより収集し、ＳＲＡＭ２２に記憶しておいたものである。
【００６９】
処理可能な機能モジュールを持つ他のＡＶ機器が管理テーブル内に無い場合は、ＣＰＵ２１はステップＳＴ５に飛び、エラーを表す画面情報をビデオＲＡＭ２５に書き込み、シスコン２４を制御して、モニタブロック１３を動作させ表示画面にエラー情報を表示させる。
【００７０】
処理可能な機能モジュールを持つ他ＡＶ機器が管理テーブル内にある場合は、ＣＰＵ２１はステップＳＴ６へ進み、通信処理部２７に対して、上記機能モジュールが使用可能であるか否かを上記他ＡＶ機器に問い合わせるように指示する。
【００７１】
この指示を受けて、通信処理部２７は、上記他ＡＶ機器に対して上記機能モジュールの使用要求を発行し応答を待つ。この使用要求を受信した上記他ＡＶ機器は、後述する要求応答処理を行った後応答を返してくる。
【００７２】
通信処理部２７は、上記応答を受信すると、ＤＲＡＭ２６に応答内容を書き込み、ＣＰＵ２１に対して割り込みを発生する。この割り込みにより、ＣＰＵ２１は、ステップＳＴ７において、ＤＲＡＭ２６の内容を解釈し、上記他ＡＶ機器の上記機能モジュールが使用可能か否かを判断する。
【００７３】
使用可能でない場合は、ＣＰＵ２１はステップＳＴ８において、ステップＳＴ５と同様にエラー表示を行う。
【００７４】
使用可能な場合は、ステップＳＴ９に進み、通信処理部２７と１３９４ＩＦを介して、上記他ＡＶ機器の上記機能モジュールを使用して要求を処理する。
【００７５】
２．要求応答処理
図７のステップＳＴ１１において、ＡＶシステム内の他のＡＶ機器から１３９４ＩＦを通じて機能モジュールの使用要求を受けた場合、通信処理部２７は、ステップＳＴ１１において、要求内容をＤＲＡＭ２６に書き込み、ＣＰＵ２１に対して割り込みを発生する。
【００７６】
この割り込みにより、ＣＰＵ２１はステップＳＴ１２において、ＤＲＡＭ２６の内容を読んで要求内容を理解し、予めＲＯＭ２３からＳＲＡＭ２２に読み込んでおいた自己ＡＶ機器の機能モジュールに関する情報に基づき、要求されている機能モジュールが自己ＡＶ機器内にあることを確認する。
【００７７】
要求されている機能モジュールが自己ＡＶ機器内に無い場合には、ＣＰＵ２１はステップＳＴ１３へ飛び、エラー情報をＤＲＡＭ２６に書き込み、通信処理部２７を通じて要求元のＡＶ機器へエラー情報を送らせる。
【００７８】
要求されている機能モジュールが自己ＡＶ機器内にある場合には、ＣＰＵ２１はステップＳＴ１４へ進み、シスコン２４に対して上記機能モジュールが使用可能状態にあるか否かを問い合わせる。
この問い合わせに対してシスコン２４は、上記機能モジュールの状態により、使用可能か否かをＣＰＵ２１に返答する。
【００７９】
上記機能モジュールが使用不可能な場合は、ＣＰＵ２１はステップＳＴ１５で、エラー情報をＤＲＡＭ２６に書き込み、通信処理部２７を通じて上記機能モジュールが使用不可能である旨のエラー情報を要求元ＡＶ機器へ送る。
【００８０】
上記機能モジュールが使用可能な場合は、ＣＰＵ２１はステップＳＴ１６で、通信処理部２７を通じて、機能モジュールが使用可能である旨の情報を要求元ＡＶ機器へ送ると共に、ステップＳＴ１７で、使用要求のあった機能モジュールを動作させる。
【００８１】
【実施例１】
図１に示すＡＶシステムにおいて、ディジタルビデオレコーダーＶＣＲ１は衛星放送用チューナーを有しており、テレビジョン受像機ＴＶは地上波チューナーしか持っていない場合、ディジタルビデオレコーダーＶＣＲ１とＶＣＲ２との間でデータダビング中に、使用者がリモコンで衛星放送の視聴要求を指示すると、テレビジョン受像機ＴＶから１３９４ＩＦを介して衛星放送用チューナーを持つディジタルビデオレコーダーＶＣＲ１に対して使用要求が送られ、ディジタルビデオレコーダーＶＣＲ１は衛星放送用チューナーを使用中でないから、テレビジョン受像機ＴＶは１３９４ＩＦを通じてディジタルビデオレコーダーＶＣＲ１の衛星放送用チューナーを使用して衛星放送を視聴することができる。
【００８２】
【実施例２】
テレビジョン受像機ＴＶは衛星放送用チューナーと地上波用チューナーとを持っており、ディジタルビデオレコーダーＶＣＲ１は地上波用チューナーしか持っていない場合、ディジタルビデオレコーダーＶＣＲ１に対して衛星放送の番組予約をしておくと、予約時間になると、ディジタルビデオレコーダーＶＣＲ１が１３９４ＩＦを介してテレビジョン受像機ＴＶの衛星放送用チューナーを用いて番組録画をすることができる。この時、テレビジョン受像機ＴＶは画面を消したままでよい。
【００８３】
【発明の効果】
以上説明したように、本発明に係る機能別にモジュール化されたＡＶシステムは、各ＡＶ機器を相互接続可能にして、各ＡＶ機器が所有する機能毎に機能モジュールを設けた構成にして、この機能モジュールを他のＡＶ機器で動作させるようにしたことにより、接続された個々のＡＶ機器に備わっていない機能であってもあたかも有しているようにして駆動させ、接続されている複数のＡＶ機器全体として複数の機能を駆動させることができ、ＡＶ機器の小型化及び簡略化を図ることができると云う効果がある。
【００８４】
又、各ＡＶ機器の機能モジュール化とディジタルインターフェイスとにより、自分に機能モジュールが無い時は他のＡＶ機器の機能モジュールを使用して処理することができるから、ＡＶシステムの資源効率が良く、ＡＶシステムの小型化と低コスト化に寄与する。
【００８５】
また、ＡＶシステム内のＡＶ機器間は全て切り換え接続無しに通信可能であるから接続切り換え用の回路が不要となりＡＶ機器の回路構成が簡素になると共に、従来のように特定のＡＶ機器に接続線が集中して配線や操作が面倒であるということが無くなる。
【図面の簡単な説明】
【図１】本発明に係る機能別にモジュール化されたＡＶシステムの実施の形態を示すブロック図である。
【図２】同ＡＶシステム内の各ＡＶ機器とディジタルインターフェイスとの接続を示す説明図である。
【図３】ＴＶの回路構成を示すブロック図である。
【図４】ＶＴＲの内部構成を示すブロック図である。
【図５】全ＡＶ機器のシステムブロック２０の回路構成を示すブロック図である。
【図６】同システムブロック２０の制御動作を示す流れ図である。
【図７】同システムブロック２０の制御動作を示す流れ図である。
【図８】従来技術を示す説明図である。
【図９】従来技術を示す説明図である。
【図１０】従来技術を示す説明図である。
【符号の説明】
１、２、３  ＶＴＲ
５  ＴＶ
６  ＡＶセレクタ
７  映像信号マージ部
８  ＣＲＴ
９  制御部
１０  リモコン受光受信部
１１  マウスリモコン
１２  チューナー情報テーブル
１３  モニタブロック１３
１４  チューナーブロック
１５  アンプブロック
１６  スピーカブロック
１７  ストレージブロック
１８  チューナーブロック
２０  システムブロック
２１  ＣＰＵ
２２  ＳＲＡＭ
２３  ＲＯＭ
２４  シスコン
２５  ビデオＲＡＭ
２６  ＤＲＡＭ
２７  通信処理部
１３９４ＩＦ  ＩＥＥＥ１３９４規格ディジタルインターフェイス
ＴＶ  テレビジョン受像機
ＶＣＲ１、ＶＣＲ２  ディジタルビデオレコーダー
ＤＣＡＭ  デジタルカメラ
ＤＶＣＲ  ディジタルビデオレコーダ
ＤＶＤ  ディジタルビデオディスク
Ｇ  ゲーム機
ＴＥＬ  電話機
ＦＡＸ  ファックス
ＭＤＣ  音楽ディスク交換機
ＤＡＴ  ディジタルオーディオテープレコーダ
ＣＤＣ  コンパクトディスク交換機
Ｐ  プリンタ
ＩＲＵ  赤外線装置
【図１】
0003594047.tif 000002
【図２】
0003594047.tif 000003
【図３】
0003594047.tif 000004
【図４】
0003594047.tif 000005
【図５】
0003594047.tif 000006
【図６】
0003594047.tif 000007
【図７】
0003594047.tif 000008
【図８】
0003594047.tif 000009
【図９】
0003594047.tif 000010
【図１０】
0003594047.tif 000011